(57)【特許請求の範囲】
【請求項１】
吸着剤を有して該吸着剤を空気と接触させる吸着素子（81,82）と、吸着剤を再生するために上記吸着素子（81,82）へ供給される空気を加熱する加熱器（92）とを備え、
第１空気を上記吸着素子（81,82）へ供給して第１空気中の水分を吸着剤に吸着させる吸着動作と、上記加熱器（92）で加熱された第２空気を上記吸着素子（81,82）へ供給して吸着剤から水分を脱離させる再生動作とを行い、
上記吸着動作により減湿された第１空気、又は上記再生動作により加湿された第２空気を室内へ供給する調湿装置であって、
上記吸着素子（81,82）は、長方形板状の仕切部材（83）を積層することによって直方体状に形成されると共に、
上記吸着素子（81,82）には、流通する空気が吸着剤と接触する調湿側通路（85）と、吸着動作時に調湿側通路（85）で生じる吸着熱を奪うための冷却用流体が流れる冷却側通路（86）とが上記仕切部材（83）の積層方向に交互に形成されており、
上記吸着素子（81,82）では、仕切部材（83）の長辺側に位置する側面に調湿側通路（85）が開口し、仕切部材（83）の短辺側に位置する側面に冷却側通路（86）が開口している調湿装置。
【請求項２】
吸着剤を有して該吸着剤を空気と接触させる吸着素子（81,82）と、吸着剤を再生するために上記吸着素子（81,82）へ供給される空気を加熱する加熱器（92）とを備え、
第１空気を上記吸着素子（81,82）へ供給して第１空気中の水分を吸着剤に吸着させる吸着動作と、上記加熱器（92）で加熱された第２空気を上記吸着素子（81,82）へ供給して吸着剤から水分を脱離させる再生動作とを行い、
上記吸着動作により減湿された第１空気、又は上記再生動作により加湿された第２空気を室内へ供給する調湿装置であって、
上記吸着素子（81,82）は、長方形板状の仕切部材（83）を積層することによって直方体状に形成されると共に、
上記吸着素子（81,82）には、流通する空気が吸着剤と接触する調湿側通路（85）と、吸着動作時に調湿側通路（85）で生じる吸着熱を奪うための冷却用流体が流れる冷却側通路（86）とが上記仕切部材（83）の積層方向に交互に形成される一方、
上記吸着素子（81,82）を複数備え、
第１の吸着素子（81）へ第１空気を供給して吸着動作を行うと同時に第２の吸着素子（82）へ第２空気を供給して再生動作を行う第１動作と、第２の吸着素子（82）へ第１空気を供給して吸着動作を行うと同時に第１の吸着素子（81）へ第２空気を供給して再生動作を行う第２動作とが交互に行われ、
第１動作と第２動作を相互に切り換える際には、再生動作が行われていた吸着素子（81,82）を冷却するために該吸着素子（81,82）へ第２空気を加熱器（92）で加熱せずに供給する冷却動作が行われる調湿装置。
【請求項３】
請求項１又は２記載の調湿装置において、
第２空気は、冷却用流体として吸着素子（81,82）の冷却側通路（86）を通過した後に加熱器（92）へ供給されて加熱される調湿装置。
【請求項４】
請求項１，２又は３記載の調湿装置において、
吸着素子（81,82）の調湿側通路（85）では、吸着動作時における第１空気の流通方向と再生動作時における第２空気の流通方向とが逆向きになっている調湿装置。
【請求項５】
請求項１，２又は３記載の調湿装置において、
吸着素子（81,82）の調湿側通路（85）では、吸着動作時における第１空気の流通方向と再生動作時における第２空気の流通方向とが同じ向きになっている調湿装置。
【請求項６】
請求項１記載の調湿装置において、
吸着素子（81,82）を複数備え、
第１の吸着素子（81）へ第１空気を供給して吸着動作を行うと同時に第２の吸着素子（82）へ第２空気を供給して再生動作を行う第１動作と、第２の吸着素子（82）へ第１空気を供給して吸着動作を行うと同時に第１の吸着素子（81）へ第２空気を供給して再生動作を行う第２動作とが交互に行われる調湿装置。
【請求項７】
請求項２又は６記載の調湿装置において、
中空の直方体状に形成されて、内部に空気の流路が形成されると共に吸着素子（81,82）及び加熱器（92）が収納されるケーシング（10）を備える一方、
第１の吸着素子（81）と第２の吸着素子（82）とは、第１の吸着素子（81）において冷却側通路（86）の開口する１つの側面と第２の吸着素子（82）において冷却側通路（86）の開口する１つの側面とが互いに向かい合う姿勢で設置されている調湿装置。
【請求項８】
請求項７記載の調湿装置において、
第１の吸着素子（81）と第２の吸着素子（82）とは、第１の吸着素子（81）における仕切部材（83）の積層方向と第２の吸着素子（82）における仕切部材（83）の積層方向とが互いに平行となるように設置されている調湿装置。
【請求項９】
請求項７又は８記載の調湿装置において、
ケーシング（10）における一対の対向面（11,12）には、該ケーシング（10）へ空気を導入するための吸込口（13,15）と、該ケーシング（10）から空気を導出するための吹出口（14,16）とがそれぞれに形成される一方、
第１の吸着素子（81）と第２の吸着素子（82）とは、各吸着素子（81,82）において調湿側通路（85）及び冷却側通路（86）の何れも開口しない閉塞面が上記ケーシング（10）の対向面（11,12）と平行になるように設置されている調湿装置。
【請求項１０】
請求項７，８又は９記載の調湿装置において、
加熱器（92）は、第１の吸着素子（81）と第２の吸着素子（82）との間に設置されている調湿装置。
【請求項１１】
請求項７，８，９又は１０記載の調湿装置において、
ケーシング（10）内における第１空気及び第２空気の流通経路を変更して第１動作と第２動作とを切り換えるための切換機構を備えている調湿装置。
【請求項１２】
請求項１，２，３又は６記載の調湿装置において、
第１空気として取り込まれた室外空気が吸着素子（81,82）を通過した後に室内へ供給されると同時に第２空気として取り込まれた室内空気が吸着素子（81,82）を通過した後に室外へ排出される除湿運転、又は第２空気として取り込まれた室外空気が吸着素子（81,82）を通過した後に室内へ供給されると同時に第１空気として取り込まれた室内空気が吸着素子（81,82）を通過した後に室外へ排出される加湿運転を行う調湿装置。
【請求項１３】
請求項１，２，３又は６記載の調湿装置において、
第１空気として取り込まれた室内空気が吸着素子（81,82）を通過した後に室内へ供給されると同時に第２空気として取り込まれた室外空気が吸着素子（81,82）を通過した後に室外へ排出される除湿運転、又は第２空気として取り込まれた室内空気が吸着素子（81,82）を通過した後に室内へ供給されると同時に第１空気として取り込まれた室外空気が吸着素子（81,82）を通過した後に室外へ排出される加湿運転を行う調湿装置。
【請求項１４】
請求項６記載の調湿装置において、
第１動作と第２動作を相互に切り換える際に、再生動作が行われていた吸着素子（81,82）を冷却するために該吸着素子（81,82）へ第２空気を加熱器（92）で加熱せずに供給する冷却動作を行う調湿装置。
【発明の詳細な説明】
【０００１】
【発明の属する技術分野】
本発明は、空気の湿度調節を行う調湿装置に関するものである。
【０００２】
【従来の技術】
従来より、吸着剤を用いて空気の湿度調節を行う調湿装置が知られている。例えば、特開平１０−９６３３号公報には、吸着剤と空気を接触させるための吸着素子を２つ備えてバッチ式の動作を行うものが開示されている。
【０００３】
上記公報の調湿装置において、吸着素子には多数の空気通路が形成される。吸着素子では、空気通路を流れる空気が吸着剤と接触する。この調湿装置において、一方の吸着素子には処理空気が供給され、他方の吸着素子には再生用空気が供給される。そして、一方の吸着素子で処理空気中の水分が吸着剤に吸着され、減湿後の処理空気が室内へ供給される。また、他方の吸着素子では、高温の再生用空気によって吸着剤が再生される。この状態が暫く続いた後に、今度は一方の吸着素子へ再生用空気が供給されて他方の吸着素子へ処理空気が供給される。上記調湿装置は、この２つの動作を交互に繰り返して行う。
【０００４】
【発明が解決しようとする課題】
しかしながら、上記従来の調湿装置では、次のような問題があった。
【０００５】
つまり、上記吸着素子の空気通路では、処理空気中の水分が吸着剤へ吸着される際に吸着熱が発生し、この吸着熱によって処理空気の温度が次第に上昇する。
処理空気の温度が上昇すると、それに伴って処理空気の相対湿度が過度に低下し、処理空気中の水分が吸着剤へ吸着されにくくなる。
【０００６】
このため、上記調湿装置では、吸着素子によって処理空気から奪われる水分量、即ち吸着素子における処理空気の減湿量が不足し、充分な能力が得ることができなかった。また、充分な減湿量を確保しようとすると、吸着素子が大型化し、ひいては調湿装置の大型化を招くという問題もあった。
【０００７】
本発明は、かかる点に鑑みてなされたものであり、その目的とするところは、調湿装置の大型化を招くことなくその能力を向上させることにある。
【０００８】
【課題を解決するための手段】
本発明が講じた第１及び第２の解決手段は、吸着剤を有して該吸着剤を空気と接触させる吸着素子（81,82）と、吸着剤を再生するために上記吸着素子（81,82）へ供給される空気を加熱する加熱器（92）とを備え、第１空気を上記吸着素子（81,82）へ供給して第１空気中の水分を吸着剤に吸着させる吸着動作と、上記加熱器（92）で加熱された第２空気を上記吸着素子（81,82）へ供給して吸着剤から水分を脱離させる再生動作とを行い、上記吸着動作により減湿された第１空気、又は上記再生動作により加湿された第２空気を室内へ供給する調湿装置を対象としている。
【０００９】
更に、上記第１及び第２の解決手段では、上記吸着素子（81,82）は、長方形板状の仕切部材（83）を積層することによって直方体状に形成されると共に、上記吸着素子（81,82）には、流通する空気が吸着剤と接触する調湿側通路（85）と、吸着動作時に調湿側通路（85）で生じる吸着熱を奪うための冷却用流体が流れる冷却側通路（86）とが上記仕切部材（83）の積層方向に交互に形成されていることが前提となる。
【００１０】
そして、上記第１の解決手段は、吸着素子（81,82）では、仕切部材（83）の長辺側に位置する側面に調湿側通路（85）が開口し、仕切部材（83）の短辺側に位置する側面に冷却側通路（86）が開口しているものである。
【００１１】
また、上記第２の解決手段は、上記吸着素子（81,82）を複数備え、第１の吸着素子（81）へ第１空気を供給して吸着動作を行うと同時に第２の吸着素子（82）へ第２空気を供給して再生動作を行う第１動作と、第２の吸着素子（82）へ第１空気を供給して吸着動作を行うと同時に第１の吸着素子（81）へ第２空気を供給して再生動作を行う第２動作とが交互に行われ、第１動作と第２動作を相互に切り換える際には、再生動作が行われていた吸着素子（81,82）を冷却するために該吸着素子（81,82）へ第２空気を加熱器（92）で加熱せずに供給する冷却動作が行われるものである。
【００１２】
本発明が講じた第３の解決手段は、上記第１又は第２の解決手段において、第２空気は、冷却用流体として吸着素子（81,82）の冷却側通路（86）を通過した後に加熱器（92）へ供給されて加熱されるものである。
【００１３】
本発明が講じた第４の解決手段は、上記第１，第２又は第３の解決手段において、吸着素子（81,82）の調湿側通路（85）では、吸着動作時における第１空気の流通方向と再生動作時における第２空気の流通方向とが逆向きになっているものである。
【００１４】
本発明が講じた第５の解決手段は、上記第１，第２又は第３の解決手段において、吸着素子（81,82）の調湿側通路（85）では、吸着動作時における第１空気の流通方向と再生動作時における第２空気の流通方向とが同じ向きになっているものである。
【００１５】
本発明が講じた第６の解決手段は、上記第１の解決手段において、吸着素子（81,82）を複数備え、第１の吸着素子（81）へ第１空気を供給して吸着動作を行うと同時に第２の吸着素子（82）へ第２空気を供給して再生動作を行う第１動作と、第２の吸着素子（82）へ第１空気を供給して吸着動作を行うと同時に第１の吸着素子（81）へ第２空気を供給して再生動作を行う第２動作とが交互に行われるものである。
【００１６】
本発明が講じた第７の解決手段は、上記第２又は第６の解決手段において、中空の直方体状に形成されて、内部に空気の流路が形成されると共に吸着素子（81,82）及び加熱器（92）が収納されるケーシング（10）を備える一方、第１の吸着素子（81）と第２の吸着素子（82）とは、第１の吸着素子（81）において冷却側通路（86）の開口する１つの側面と第２の吸着素子（82）において冷却側通路（86）の開口する１つの側面とが互いに向かい合う姿勢で設置されるものである。
【００１７】
本発明が講じた第８の解決手段は、上記第７の解決手段において、第１の吸着素子（81）と第２の吸着素子（82）とは、第１の吸着素子（81）における仕切部材（83）の積層方向と第２の吸着素子（82）における仕切部材（83）の積層方向とが互いに平行となるように設置されるものである。
【００１８】
本発明が講じた第９の解決手段は、上記第７又は第８の解決手段において、ケーシング（10）における一対の対向面（11,12）には、該ケーシング（10）へ空気を導入するための吸込口（13,15）と、該ケーシング（10）から空気を導出するための吹出口（14,16）とがそれぞれに形成される一方、第１の吸着素子（81）と第２の吸着素子（82）とは、各吸着素子（81,82）において調湿側通路（85）及び冷却側通路（86）の何れも開口しない閉塞面が上記ケーシング（10）の対向面（11,12）と平行になるように設置されるものである。
【００１９】
本発明が講じた第１０の解決手段は、上記第７，第８又は第９の解決手段において、加熱器（92）は、第１の吸着素子（81）と第２の吸着素子（82）との間に設置されるものである。
【００２０】
本発明が講じた第１１の解決手段は、上記第７，第８，第９又は第１０の解決手段において、ケーシング（10）内における第１空気及び第２空気の流通経路を変更して第１動作と第２動作とを切り換えるための切換機構を備えるものである。
【００２１】
本発明が講じた第１２の解決手段は、上記第１，第２，第３又は第６の解決手段において、第１空気として取り込まれた室外空気が吸着素子（81,82）を通過した後に室内へ供給されると同時に第２空気として取り込まれた室内空気が吸着素子（81,82）を通過した後に室外へ排出される除湿運転、又は第２空気として取り込まれた室外空気が吸着素子（81,82）を通過した後に室内へ供給されると同時に第１空気として取り込まれた室内空気が吸着素子（81,82）を通過した後に室外へ排出される加湿運転を行うものである。
【００２２】
本発明が講じた第１３の解決手段は、上記第１，第２，第３又は第６の解決手段において、第１空気として取り込まれた室内空気が吸着素子（81,82）を通過した後に室内へ供給されると同時に第２空気として取り込まれた室外空気が吸着素子（81,82）を通過した後に室外へ排出される除湿運転、又は第２空気として取り込まれた室内空気が吸着素子（81,82）を通過した後に室内へ供給されると同時に第１空気として取り込まれた室外空気が吸着素子（81,82）を通過した後に室外へ排出される加湿運転を行うものである。
【００２３】
本発明が講じた第１４の解決手段は、上記第６の解決手段において、第１動作と第２動作を相互に切り換える際に、再生動作が行われていた吸着素子（81,82）を冷却するために該吸着素子（81,82）へ第２空気を加熱器（92）で加熱せずに供給する冷却動作を行うものである。
【００２４】
−作用−
上記第１及び第２の解決手段では、調湿装置において、吸着動作と再生動作とが行われる。また、吸着素子（81,82）は、板状の仕切部材（83）を積層することによって直方体状に形成される。積層される仕切部材（83）は、それぞれが長方形状に形成されている。この吸着素子（81,82）では、仕切部材（83）の積層方向において、調湿側通路（85）と冷却側通路（86）とが交互に区画形成される。
【００２５】
吸着動作時の吸着素子（81,82）では、その調湿側通路（85）へ第１空気が導入され、その冷却側通路（86）へ冷却用流体が導入される。第１空気は、調湿側通路（85）を流れる間に吸着剤と接触し、第１空気中の水蒸気が吸着剤に吸着される。冷却用流体は、冷却側通路（86）を流れる間に、調湿側通路（85）で発生した吸着熱を吸収する。
【００２６】
一方、再生動作時の吸着素子（81,82）では、その調湿側通路（85）へ加熱器（92）で加熱された第２空気が導入される。高温の第２空気が吸着剤と接触すると、水蒸気が吸着剤から脱離する。即ち、吸着剤が再生される。吸着剤から脱離した水蒸気は、第２空気に付与される。
【００２７】
これら解決手段の調湿装置は、室内へ供給される空気の減湿又は加湿を行う。つまり、この調湿装置は、吸着素子（81,82）に水蒸気を奪われて減湿された第１空気を室内へ供給する運転、又は吸着素子（81,82）から脱離した水蒸気を付与されて加湿された第２空気を室内へ供給する運転を行う。尚、上記調湿装置は、減湿された第１空気を室内へ供給する運転と、加湿された第２空気を室内へ供給する運転とを切り換え可能に構成されたものであってもよい。
【００２８】
上記第１の解決手段において、直方体状に形成された吸着素子（81,82）では、仕切部材（83）の長辺側に位置する側面に調湿側通路（85）が開口し、仕切部材（83）の短辺側に位置する側面に冷却側通路（86）が開口している。つまり、仕切部材（83）の四辺に沿って形成される吸着素子（81,82）の側面のうち、広い方の側面に調湿側通路（85）が開口し、狭い方の側面に冷却側通路（86）が開口している。
【００２９】
上記第３の解決手段では、吸着素子（81,82）の冷却側通路（86）と加熱器（92）を順に通過した第２空気が、吸着素子（81,82）の調湿側通路（85）へ送り込まれる。つまり、本解決手段において、第２空気は、先ず吸着素子（81,82）の冷却側通路（86）へ導入される。この第２空気は、冷却用流体として冷却側通路（86）を流れ、調湿側通路（85）で生じた吸着熱を吸熱する。その後、第２空気は、更に加熱器（92）で加熱されてから調湿側通路（85）へ送り込まれる。
【００３０】
上記第４の解決手段では、吸着素子（81,82）の調湿側通路（85）において、吸着動作時と再生動作時とで空気が反対方向へ流通する。つまり、再生動作時の第２空気は、吸着動作時における第１空気の流出側から調湿側通路（85）へ導入される。
【００３１】
上記第５の解決手段では、吸着素子（81,82）の調湿側通路（85）において、吸着動作時と再生動作時とで空気が同じ方向へ流通する。つまり、再生動作時の第２空気は、吸着動作時における第１空気の流入側から調湿側通路（85）へ導入される。
【００３２】
上記第２及び第６の解決手段では、少なくとも２つの吸着素子（81,82）が調湿装置に設けられる。この調湿装置は、第１動作と第２動作を交互に行う。第１動作では、第１の吸着素子（81）について吸着動作を行い、第２の吸着素子（82）について再生動作を行う。一方、第２動作では、第１動作とは逆に、第２の吸着素子（82）について吸着動作を行い、第１の吸着素子（81）について再生動作を行う。
【００３３】
上記第７の解決手段では、直方体状のケーシング（10）に吸着素子（81,82）及び加熱器（92）が収納される。また、ケーシング（10）の内部には、空気の流路が形成される。ケーシング（10）内において、第１の吸着素子（81）と第２の吸着素子（82）とは、それぞれの側面の１つが対向するように配置されている。互いに向かい合う吸着素子（81,82）の側面には、それぞれ冷却側通路（86）が開口している。
【００３４】
上記第８の解決手段では、ケーシング（10）の内部において、第１の吸着素子（81）における仕切部材（83）の積層方向と、第２の吸着素子（82）における仕切部材（83）の積層方向とが互いに略平行になっている。
【００３５】
上記第９の解決手段では、ケーシング（10）に形成された一対の対向面（11,12）のそれぞれに、吸込口（13,15）と吹出口（14,16）とが設けられる。第１空気又は第２空気は、吸込口（13,15）を通ってケーシング（10）内へ流入し、吹出口（14,16）を通ってケーシング（10）から流出する。
【００３６】
一方、直方体状の吸着素子（81,82）では、六つの面のうち、対向する二面に調湿側通路（85）が開口し、これとは別の対向する二面に冷却側通路（86）が開口する。また、吸着素子（81,82）における残りの二面は、調湿側通路（85）と冷却側通路（86）の何れもが開口しない閉塞面となっている。ケーシング（10）の内部において、各吸着素子（81,82）の閉塞面は、吸込口（13,15）や吹出口（14,16）の形成された対向面（11,12）と略平行になっている。つまり、ケーシング（10）内に設置された吸着素子（81,82）は、その閉塞面が吸込口（13,15）や吹出口（14,16）の方を向く姿勢となっている。
【００３７】
上記第１０の解決手段では、ケーシング（10）の内部において、第１の吸着素子（81）と第２の吸着素子（82）との間に加熱器（92）が配置される。
【００３８】
上記第１１の解決手段では、切換機構が調湿装置に設けられる。この切換機構の動作により、ケーシング（10）内における第１空気及び第２空気の流通経路が切り換えられる。本解決手段の調湿装置において、第１動作と第２動作を相互に切り換える際には、上記切換機構が作動して空気の流通経路を切り換える。
【００３９】
上記第１２の解決手段では、調湿装置において除湿運転又は加湿運転が行われる。この除湿運転では、第１空気として取り込まれた室外空気が吸着素子（81,82）で減湿され、その後に室内へ供給される。また、第２空気として取り込まれた室内空気が吸着素子（81,82）の再生に利用され、その後に室外へ排出される。一方、この加湿運転では、第２空気として取り込まれた室外空気が吸着素子（81,82）で加湿され、その後に室内へ供給される。また、第１空気として取り込まれた室内空気が吸着素子（81,82）で水分を奪われ、その後に室外へ排出される。
【００４０】
上記第１３の解決手段では、調湿装置において除湿運転又は加湿運転が行われる。この除湿運転では、第１空気として取り込まれた室内空気が吸着素子（81,82）で減湿され、その後に室内へ送り返される。また、第２空気として取り込まれた室外空気が吸着素子（81,82）の再生に利用され、その後に室外へ排出される。一方、この加湿運転では、第２空気として取り込まれた室内空気が吸着素子（81,82）で加湿され、その後に室内へ送り返される。また、第１空気として取り込まれた室外空気が吸着素子（81,82）で水分を奪われ、その後に室外へ排出される。
【００４１】
上記第２及び第１４の解決手段では、第１動作と第２動作を相互に切り換える際に冷却動作が行われる。つまり、本解決手段の調湿装置は、第１動作の終了後に冷却動作を行ってから第２動作を開始し、第２動作の終了後に冷却動作を行ってから第１動作を開始する。
【００４２】
この冷却動作時には、それまで再生動作が行われていた吸着素子（81,82）に対して、第２空気が加熱器（92）で加熱されることなく供給される。再生動作によって温度が上昇していた吸着素子（81,82）は、この第２空気が供給されることによって冷却される。そして、吸着動作が開始されると、冷却動作によって冷却された吸着素子（81,82）に対して、第１空気が導入される。
【００４３】
【発明の効果】
本発明では、吸着素子（81,82）に冷却側通路（86）を形成し、吸着動作中に発生する吸着熱を冷却用流体によって奪っている。このため、吸着動作時の吸着素子（81,82）では、調湿側通路（85）で発生した吸着熱による第１空気の温度上昇を抑制することが可能となる。
【００４４】
従って、本発明によれば、吸着素子（81,82）の調湿側通路（85）を流れる第１空気の相対湿度が過度に低下するのを回避でき、吸着素子（81,82）に吸着される水蒸気の量を増大させることができる。そして、吸着素子（81,82）における水分の吸着量を増大させることで、調湿装置を大型化させることなく、調湿装置の能力を向上させることができる。
【００４５】
また、上記第３の解決手段では、第２空気を先ず冷却用流体として吸着素子（81,82）の冷却側通路（86）へ導入し、この冷却側通路（86）から出た第２空気を加熱器（92）で加熱している。つまり、吸着素子（81,82）の再生に用いられる第２空気は、加熱器（92）だけでなく吸着素子（81,82）の冷却側通路（86）においても加熱される。従って、本解決手段によれば、加熱器（92）で第２空気に与えねばならない熱量を削減でき、調湿装置の運転に要するエネルギを削減できる。
【００４６】
また、上記第２及び第１４の解決手段では、第１動作と第２動作を相互に切り換える際に冷却動作を行っている。このため、再生動作が終了した吸着素子（81,82）の温度を充分に低下させてから、この吸着素子（81,82）に対する第１空気の供給を開始することができる。従って、本解決手段によれば、吸着素子（81,82）へ第１空気を導入した直後から第１空気中の水分を吸着剤に吸着させることが可能となり、吸着素子（81,82）における水分の吸着量を一層増大させることができる。
【００４７】
【発明の実施の形態】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００４８】
本実施形態に係る調湿装置は、減湿された空気が室内へ供給される除湿運転と、加湿された空気が室内へ供給される加湿運転とを切り換えて行うように構成されている。また、この調湿装置は、２つの吸着素子（81,82）を備え、いわゆるバッチ式の動作を行うように構成されている。ここでは、本実施形態に係る調湿装置の構成について、図１，図５，図６を参照しながら説明する。
【００４９】
図１，図５に示すように、上記調湿装置は、やや扁平な直方体状のケーシング（10）を備えている。このケーシング（10）には、２つの吸着素子（81,82）と、加熱器である再生熱交換器（92）とが収納されている。
【００５０】
図６に示すように、上記吸着素子（81,82）は、平板状の平板部材（83）と波形状の波板部材（84）とを交互に積層して構成されている。平板部材（83）は、長方形板状の仕切部材を構成している。また、平板部材（83）は、その長辺の長さＬ1がその短辺の長さＬ2の２.５倍となる長方形状に形成されている。つまり、この平板部材（83）では、Ｌ1/Ｌ2＝２.５となっている。波板部材（84）は、隣接する波板部材（84）の稜線方向が互いに９０°ずれる姿勢で積層されている。そして、吸着素子（81,82）は、全体として直方体状ないし四角柱状に形成されている。
【００５１】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。また、この吸着素子（81,82）において、同図の手前側と奥側の端面は、調湿側通路（85）と冷却側通路（86）の何れも開口しない閉塞面を構成している。
【００５２】
上記吸着素子（81,82）において、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００５３】
図１に示すように、上記ケーシング（10）において、最も手前側には室外側パネル（11）が設けられ、最も奥側には室内側パネル（12）が設けられている。室外側パネル（11）には、その左端寄りに室外側吸込口（13）が形成され、その右端寄りに室外側吹出口（16）が形成されている。一方、室内側パネル（12）には、その左端寄りに室内側吹出口（14）が形成され、その右端寄りに室内側吸込口（15）が形成されている。つまり、室外側パネル（11）や室内側パネル（12）は、吸込口（13,15）や吹出口（14,16）が形成されたケーシング（10）の対向面を構成している。
【００５４】
ケーシング（10）の内部には、手前側から奥側へ向かって順に、第１仕切板（20）と、第２仕切板（30）とが設けられている。ケーシング（10）の内部空間は、これら第１，第２仕切板（20,30）によって、前後に仕切られている。
【００５５】
室外側パネル（11）と第１仕切板（20）の間の空間は、上側の室外側上部流路（41）と下側の室外側下部流路（42）とに区画されている。室外側上部流路（41）は、室外側吹出口（16）によって室外空間と連通されている。室外側下部流路（42）は、室外側吸込口（13）によって室外空間と連通されている。また、室外側パネル（11）と第１仕切板（20）の間の空間には、その右端寄りに排気ファン（96）が設置されている。
【００５６】
第１仕切板（20）には、第１右側開口（21）、第１左側開口（22）、第１右上開口（23）、第１右下開口（24）、第１左上開口（25）、及び第１左下開口（26）が形成されている。これらの開口（21,22,…）は、それぞれが切換機構である開閉シャッタを備え、開閉自在に構成されている。
【００５７】
第１右側開口（21）及び第１左側開口（22）は、縦長の長方形状の開口である。第１右側開口（21）は、第１仕切板（20）の右端近傍に設けられている。第１左側開口（22）は、第１仕切板（20）の左端近傍に設けられている。第１右上開口（23）、第１右下開口（24）、第１左上開口（25）、及び第１左下開口（26）は、横長の長方形状の開口である。第１右上開口（23）は、第１仕切板（20）の上部における第１右側開口（21）の左隣に設けられている。第１右下開口（24）は、第１仕切板（20）の下部における第１右側開口（21）の左隣に設けられている。第１左上開口（25）は、第１仕切板（20）の上部における第１左側開口（22）の右隣に設けられている。第１左下開口（26）は、第１仕切板（20）の下部における第１左側開口（22）の右隣に設けられている。
【００５８】
第１仕切板（20）と第２仕切板（30）の間には、２つの吸着素子（81,82）が設置されている。これら吸着素子（81,82）は、所定の間隔をおいて左右に並んだ状態に配置されている。具体的には、右寄りに第１吸着素子（81）が設けられ、左寄りに第２吸着素子（82）が設けられている。
【００５９】
第１，第２吸着素子（81,82）は、それぞれにおける平板部材（83）及び波板部材（84）の積層方向がケーシング（10）の長手方向（図１における手前から奥へ向かう方向）と一致すると共に、それぞれにおける平板部材（83）等の積層方向が互いに平行となる姿勢で設置されている。更に、各吸着素子（81,82）は、左右の側面がケーシング（10）の側板と、上下面がケーシング（10）の天板や底板と、前後の端面が室外側パネル（11）や室内側パネル（12）とそれぞれ略平行になる姿勢で配置されている。
【００６０】
また、ケーシング（10）内に設置された各吸着素子（81,82）では、その左右の側面に冷却側通路（86）が開口している。つまり、第１吸着素子（81）において冷却側通路（86）の開口する１つの側面と、第２吸着素子（82）において冷却側通路（86）の開口する１つの側面とは、互いに向かい合っている。
【００６１】
第１仕切板（20）と第２仕切板（30）の間の空間は、右側流路（51）、左側流路（52）、右上流路（53）、右下流路（54）、左上流路（55）、左下流路（56）、及び中央流路（57）に区画されている。
【００６２】
右側流路（51）は、第１吸着素子（81）の右側に形成され、第１吸着素子（81）の冷却側通路（86）に連通している。左側流路（52）は、第２吸着素子（82）の左側に形成され、第２吸着素子（82）の冷却側通路（86）に連通している。
【００６３】
右上流路（53）は、第１吸着素子（81）の上側に形成され、第１吸着素子（81）の調湿側通路（85）に連通している。右下流路（54）は、第１吸着素子（81）の下側に形成され、第１吸着素子（81）の調湿側通路（85）に連通している。左上流路（55）は、第２吸着素子（82）の上側に形成され、第２吸着素子（82）の調湿側通路（85）に連通している。左下流路（56）は、第２吸着素子（82）の下側に形成され、第２吸着素子（82）の調湿側通路（85）に連通している。
【００６４】
中央流路（57）は、第１吸着素子（81）と第２吸着素子（82）の間に形成され、両吸着素子（81,82）の冷却側通路（86）に連通している。この中央流路（57）は、図１，図５に現れる流路断面の形状が八角形状となっている。
【００６５】
再生熱交換器（92）は、いわゆるクロスフィン型のフィン・アンド・チューブ熱交換器であって、温水と空気を熱交換させるように構成されている。この再生熱交換器（92）は、中央流路（57）に配置されている。つまり、再生熱交換器（92）は、左右に並んだ第１吸着素子（81）と第２吸着素子（82）の間に設置されている。更に、再生熱交換器（92）は、ほぼ垂直に立てられた状態で、中央流路（57）を左右に仕切るように設けられている。
【００６６】
第１吸着素子（81）と再生熱交換器（92）の間には、右側シャッタ（61）が設けられている。この右側シャッタ（61）は、中央流路（57）における再生熱交換器（92）の右側部分と右下流路（54）との間を仕切るものであって、開閉自在に構成されている。一方、第２吸着素子（82）と再生熱交換器（92）の間には、左側シャッタ（62）が設けられている。この左側シャッタ（62）は、中央流路（57）における再生熱交換器（92）の左側部分と左下流路（56）との間を仕切るものであって、開閉自在に構成されている。右側シャッタ（61）と左側シャッタ（62）とは、何れも切換機構を構成している。
【００６７】
室外側パネル（11）と第１仕切板（20）の間の流路（41,42）と、第１仕切板（20）と第２仕切板（30）の間の流路（51,52,…）とは、第１仕切板（20）の開口（21,22,…）に設けられた開閉シャッタによって、連通状態と遮断状態に切り換えられる。具体的に、第１右側開口（21）を開口状態とすると、右側流路（51）と室外側下部流路（42）が連通する。第１左側開口（22）を開口状態とすると、左側流路（52）と室外側下部流路（42）が連通する。第１右上開口（23）を開口状態とすると、右上流路（53）と室外側上部流路（41）が連通する。第１左上開口（25）を開口状態とすると、左上流路（55）と室外側上部流路（41）が連通する。第１右下開口（24）を開口状態とすると、右下流路（54）と室外側下部流路（42）が連通する。第１左下開口（26）を開口状態とすると、左下流路（56）と室外側下部流路（42）が連通する。
【００６８】
第２仕切板（30）には、第２右側開口（31）、第２左側開口（32）、第２右上開口（33）、第２右下開口（34）、第２左上開口（35）、及び第２左下開口（36）が形成されている。これらの開口（31,32,…）は、それぞれが切換機構である開閉シャッタを備え、開閉自在に構成されている。
【００６９】
第２右側開口（31）及び第２左側開口（32）は、縦長の長方形状の開口である。第２右側開口（31）は、第２仕切板（30）の右端近傍に設けられている。第２左側開口（32）は、第２仕切板（30）の左端近傍に設けられている。第２右上開口（33）、第２右下開口（34）、第２左上開口（35）、及び第２左下開口（36）は、横長の長方形状の開口である。第２右上開口（33）は、第２仕切板（30）の上部における第２右側開口（31）の左隣に設けられている。第２右下開口（34）は、第２仕切板（30）の下部における第２右側開口（31）の左隣に設けられている。第２左上開口（35）は、第２仕切板（30）の上部における第２左側開口（32）の右隣に設けられている。第２左下開口（36）は、第２仕切板（30）の下部における第２左側開口（32）の右隣に設けられている。
【００７０】
室内側パネル（12）と第２仕切板（30）の間の空間は、上側の室内側上部流路（46）と下側の室内側下部流路（47）とに区画されている。室内側上部流路（46）は、室内側吹出口（14）によって室内空間と連通されている。室内側下部流路（47）は、室内側吸込口（15）によって室内空間と連通されている。また、室内側パネル（12）と第２仕切板（30）の間の空間には、その左端寄りに給気ファン（95）が設置されている。
【００７１】
第１仕切板（20）と第２仕切板（30）の間の流路と、第２仕切板（30）と室外側パネル（11）の間の流路とは、第２仕切板（30）の開口に設けられた開閉シャッタによって、連通状態と遮断状態に切り換えられる。具体的に、第２右側開口（31）を開口状態とすると、右側流路（51）と室内側下部流路（47）が連通する。第２左側開口（32）を開口状態とすると、左側流路（52）と室内側下部流路（47）が連通する。第２右上開口（33）を開口状態とすると、右上流路（53）と室内側上部流路（46）が連通する。第２右下開口（34）を開口状態とすると、右下流路（54）と室内側下部流路（47）が連通する。第２左上開口（35）を開口状態とすると、左上流路（55）と室内側上部流路（46）が連通する。第２左下開口（36）を開口状態とすると、左下流路（56）と室内側下部流路（47）が連通する。
【００７２】
−運転動作−
上記調湿装置の運転動作について、図１〜図５を参照しながら説明する。上述したように、この調湿装置は、除湿運転と加湿運転とを切り換えて行う。また、この調湿装置は、第１動作と第２動作とを交互に繰り返すことによって除湿運転や加湿運転を行う。
【００７３】
《除湿運転》
図１，図２に示すように、除湿運転時において、給気ファン（95）を駆動すると、室外空気が室外側吸込口（13）を通じてケーシング（10）内に取り込まれる。この室外空気は、第１空気として室外側下部流路（42）へ流入する。一方、排気ファン（96）を駆動すると、室内空気が室内側吸込口（15）を通じてケーシング（10）内に取り込まれる。この室内空気は、第２空気として室内側下部流路（47）へ流入する。
【００７４】
除湿運転の第１動作について、図１，図５を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【００７５】
図１に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【００７６】
第２仕切板（30）では、第２右側開口（31）と第２右上開口（33）とが連通状態となり、残りの開口（32,34,35,36）が遮断状態となっている。この状態では、第２右側開口（31）によって室内側下部流路（47）と右側流路（51）とが連通され、第２右上開口（33）によって右上流路（53）と室内側上部流路（46）とが連通される。
【００７７】
右側シャッタ（61）は閉鎖状態となり、左側シャッタ（62）は開口状態となっている。この状態では、中央流路（57）における再生熱交換器（92）の左側部分と左下流路（56）とが、左側シャッタ（62）を介して連通される。
【００７８】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【００７９】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【００８０】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から左下流路（56）へ流入する。
【００８１】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【００８２】
図１に示すように、右上流路（53）へ流入した減湿後の第１空気は、第２右上開口（33）を通って室内側上部流路（46）へ送り込まれる。その後、減湿された第１空気は、室内側吹出口（14）を通って室内へ供給される。一方、左上流路（55）へ流入した第２空気は、第１左上開口（25）を通って室外側上部流路（41）へ流入する。その後、第１吸着素子（81）の冷却と第２吸着素子（82）の再生に利用された第２空気は、室外側吹出口（16）を通って室外へ排出される。
【００８３】
除湿運転の第２動作について、図２，図５を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【００８４】
図２に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通され、第１左下開口（26）によって室外側下部流路（42）と左下流路（56）とが連通される。
【００８５】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通され、第２左上開口（35）によって左上流路（55）と室内側上部流路（46）とが連通される。
【００８６】
左側シャッタ（62）は閉鎖状態となり、右側シャッタ（61）は開口状態となっている。この状態では、中央流路（57）における再生熱交換器（92）の右側部分と右下流路（54）とが、右側シャッタ（61）を介して連通される。
【００８７】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【００８８】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【００８９】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から右下流路（54）へ流入する。
【００９０】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【００９１】
図２に示すように、左上流路（55）へ流入した減湿後の第１空気は、第２左上開口（35）を通って室内側上部流路（46）へ送り込まれる。その後、減湿された第１空気は、室内側吹出口（14）を通って室内へ供給される。一方、右上流路（53）へ流入した第２空気は、第１右上開口（23）を通って室外側上部流路（41）へ流入する。その後、第２吸着素子（82）の冷却と第１吸着素子（81）の再生に利用された第２空気は、室外側吹出口（16）を通って室外へ排出される。
【００９２】
《加湿運転》
図３，図４に示すように、加湿運転時において、給気ファン（95）を駆動すると、室外空気が室外側吸込口（13）を通じてケーシング（10）内に取り込まれる。この室外空気は、第２空気として室外側下部流路（42）へ流入する。一方、排気ファン（96）を駆動すると、室内空気が室内側吸込口（15）を通じてケーシング（10）内に取り込まれる。この室内空気は、第１空気として室内側下部流路（47）へ流入する。
【００９３】
加湿運転の第１動作について、図３，図５を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【００９４】
図３に示すように、第１仕切板（20）では、第１右側開口（21）と第１右上開口（23）とが連通状態となり、残りの開口（22,24,25,26）が遮断状態となっている。この状態では、第１右側開口（21）によって室外側下部流路（42）と右側流路（51）とが連通され、第１右上開口（23）によって右上流路（53）と室外側上部流路（41）とが連通される。
【００９５】
第２仕切板（30）では、第２右下開口（34）と第２左上開口（35）とが連通状態となり、残りの開口（31,32,33,36）が遮断状態となっている。この状態では、第２右下開口（34）によって室内側下部流路（47）と右下流路（54）とが連通され、第２左上開口（35）によって左上流路（55）と室内側上部流路（46）とが連通される。
【００９６】
右側シャッタ（61）は閉鎖状態となり、左側シャッタ（62）は開口状態となっている。この状態では、中央流路（57）における再生熱交換器（92）の左側部分と左下流路（56）とが、左側シャッタ（62）を介して連通される。
【００９７】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【００９８】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【００９９】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から左下流路（56）へ流入する。
【０１００】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【０１０１】
図３に示すように、左上流路（55）へ流入した第２空気は、第２左上開口（35）を通って室内側上部流路（46）へ流入する。その後、加湿された第２空気は、室内側吹出口（14）を通って室内へ供給される。一方、右上流路（53）へ流入した第１空気は、第１右上開口（23）を通って室外側上部流路（41）へ送り込まれる。その後、水分を奪われた第１空気は、室外側吹出口（16）を通って室外へ排出される。
【０１０２】
加湿運転の第２動作について、図４，図５を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０１０３】
図４に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通され、第１左上開口（25）によって左上流路（55）と室外側上部流路（41）とが連通される。
【０１０４】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０１０５】
左側シャッタ（62）は閉鎖状態となり、右側シャッタ（61）は開口状態となっている。この状態では、中央流路（57）における再生熱交換器（92）の右側部分と右下流路（54）とが、右側シャッタ（61）を介して連通される。
【０１０６】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【０１０７】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【０１０８】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から右下流路（54）へ流入する。
【０１０９】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【０１１０】
図４に示すように、右上流路（53）へ流入した第２空気は、第２右上開口（33）を通って室内側上部流路（46）へ流入する。その後、加湿された第２空気は、室内側吹出口（14）を通って室内へ供給される。一方、左上流路（55）へ流入した第１空気は、第１左上開口（25）を通って室外側上部流路（41）へ送り込まれる。その後、水分を奪われた第１空気は、室外側吹出口（16）を通って室外へ排出される。
【０１１１】
−実施形態の効果−
本実施形態では、吸着素子（81,82）に冷却側通路（86）を形成し、吸着動作中に発生する吸着熱を冷却用流体としての第２空気によって奪っている。このため、吸着動作時の吸着素子（81,82）では、調湿側通路（85）で発生した吸着熱による第１空気の温度上昇を抑制することが可能となる。
【０１１２】
従って、本実施形態によれば、吸着素子（81,82）の調湿側通路（85）を流れる第１空気の相対湿度が過度に低下するのを回避でき、吸着素子（81,82）に吸着される水蒸気の量を増大させることができる。そして、吸着素子（81,82）における水分の吸着量を増大させることで、調湿装置を大型化させることなく、調湿装置の能力向上を図ることができる。
【０１１３】
また、本実施形態では、第２空気を先ず冷却用流体として吸着素子（81,82）の冷却側通路（86）へ導入し、この冷却側通路（86）から出た第２空気を再生熱交換器（92）で加熱している。つまり、吸着素子（81,82）の再生に用いられる第２空気は、再生熱交換器（92）だけでなく吸着素子（81,82）の冷却側通路（86）においても加熱される。従って、本実施形態によれば、再生熱交換器（92）で第２空気に与えねばならない熱量を削減でき、調湿装置の運転に要するエネルギを削減できる。
【０１１４】
−実施形態の変形例１−
上記調湿装置では、除湿運転時において、第１動作と第２動作を切り換える際にパージ動作を行うようにしてもよい。このパージ動作は、それまで再生動作の対象であった吸着素子（81,82）を冷却するために行われる冷却動作である。
【０１１５】
先ず、第１動作から第２動作への切り換え時に行われるパージ動作について、図７を参照しながら説明する。第１動作からこのパージ動作へ移行する際には、第２右側開口（31）が遮断状態となり、第２左下開口（36）が連通状態となる。その他の開口（21,22,…）や右側及び左側シャッタ（61,62）の状態は、第１動作時と同様である（図１参照）。
【０１１６】
この状態で、ケーシング（10）に取り込まれた第２空気は、室内側下部流路（47）から第２左下開口（36）を通って左下流路（56）へ流入し、第２吸着素子（82）の調湿側通路（85）へ導入される。つまり、第２空気は、第１吸着素子（81）や再生熱交換器（92）を通過することなく、第２吸着素子（82）へ直接送り込まれる。
【０１１７】
第１動作中は第２吸着素子（82）についての再生動作が行われるため、第２吸着素子（82）は比較的高温（例えば８０℃程度）となっている。この第２吸着素子（82）に対して比較的低温（例えば２５℃程度）の第２空気を導入すると、第２吸着素子（82）は、第２空気によって冷却されてその温度が低下する。
【０１１８】
第２吸着素子（82）から吸熱した第２空気は、その後に左上流路（55）へ流入する。この第２空気は、第１左上開口（25）を通って室外側上部流路（41）へ流入し、室外側吹出口（16）を通って室外へ排出される。このパージ動作を暫く続けて第２吸着素子（82）の温度が充分に低下すると、その後に第２動作が開始される。
【０１１９】
尚、このパージ動作時において、第１空気は第１動作中と同様に流れる（図１参照）。即ち、パージ動作中であっても、室内に対しては、減湿された第１空気が継続して供給される。
【０１２０】
次に、第２動作から第１動作への切り換え時に行われるパージ動作について、図８を参照しながら説明する。第２動作からこのパージ動作へ移行する際には、第２左側開口（32）が遮断状態となり、第２右下開口（34）が連通状態となる。その他の開口（21,22,…）や右側及び左側シャッタ（61,62）の状態は、第２動作時と同様である（図２参照）。
【０１２１】
この状態で、ケーシング（10）に取り込まれた第２空気は、室内側下部流路（47）から第２右下開口（34）を通って右下流路（54）へ流入し、第１吸着素子（81）の調湿側通路（85）へ導入される。つまり、第２空気は、第２吸着素子（82）や再生熱交換器（92）を通過することなく、第１吸着素子（81）へ直接送り込まれる。
【０１２２】
第２動作中は第１吸着素子（81）についての再生動作が行われるため、第１吸着素子（81）は比較的高温（例えば８０℃程度）となっている。この第１吸着素子（81）に対して比較的低温（例えば２５℃程度）の第２空気を導入すると、第１吸着素子（81）は、第２空気によって冷却されてその温度が低下する。
【０１２３】
第１吸着素子（81）から吸熱した第２空気は、その後に右上流路（53）へ流入する。この第２空気は、第１右上開口（23）を通って室外側上部流路（41）へ流入し、室外側吹出口（16）を通って室外へ排出される。このパージ動作を暫く続けて第１吸着素子（81）の温度が充分に低下すると、その後に第１動作が開始される。
【０１２４】
尚、このパージ動作時において、第１空気は第２動作中と同様に流れる（図２参照）。即ち、パージ動作中であっても、室内に対しては、減湿された第１空気が継続して供給される。
【０１２５】
このように、本変形例の調湿装置では、除湿運転中に第１動作と第２動作を相互に切り換える際にパージ動作を行っている。このため、再生動作が終了した吸着素子（81,82）の温度を充分に低下させてから、この吸着素子（81,82）に対する第１空気の供給を開始することができる。従って、本変形例によれば、吸着素子（81,82）へ第１空気を導入した直後から第１空気中の水分を吸着剤に吸着させることが可能となり、吸着素子（81,82）における水分の吸着量を一層増大させることができる。
【０１２６】
−実施形態の変形例２−
上記調湿装置では、除湿運転や加湿運転に加えて、除湿循環運転や加湿循環運転を行うようにしてもよい。この除湿循環運転や加湿循環運転においては、除湿運転や加湿運転と同様に、第１動作と第２動作とが交互に繰り返し行われる。
【０１２７】
《除湿循環運転》
図９，図１０に示すように、除湿循環運転時において、給気ファン（95）を駆動すると、室内空気が室内側吸込口（15）を通じてケーシング（10）内に取り込まれる。この室内空気は、第１空気として室内側下部流路（47）へ流入する。一方、排気ファン（96）を駆動すると、室外空気が室外側吸込口（13）を通じてケーシング（10）内に取り込まれる。この室外空気は、第２空気として室外側下部流路（42）へ流入する。
【０１２８】
除湿循環運転の第１動作について、図５，図９を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【０１２９】
図９に示すように、第１仕切板（20）では、第１右側開口（21）と第１左上開口（25）とが連通状態となり、残りの開口（22,23,24,26）が遮断状態となっている。この状態では、第１右側開口（21）によって室外側下部流路（42）と右側流路（51）とが連通され、第１左上開口（25）によって左上流路（55）と室外側上部流路（41）とが連通される。
【０１３０】
第２仕切板（30）では、第２右上開口（33）と第２右下開口（34）とが連通状態となり、残りの開口（31,32,35,36）が遮断状態となっている。この状態では、第２右上開口（33）によって右上流路（53）と室内側上部流路（46）とが連通され、第２右下開口（34）によって室内側下部流路（47）と右下流路（54）とが連通される。
【０１３１】
右側シャッタ（61）は閉鎖状態となり、左側シャッタ（62）は開口状態となっている。この状態では、中央流路（57）における再生熱交換器（92）の左側部分と左下流路（56）とが、左側シャッタ（62）を介して連通される。
【０１３２】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【０１３３】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【０１３４】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から左下流路（56）へ流入する。
【０１３５】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【０１３６】
図９に示すように、右上流路（53）へ流入した減湿後の第１空気は、第２右上開口（33）を通って室内側上部流路（46）へ送り込まれる。その後、減湿された第１空気は、室内側吹出口（14）を通って室内へ供給される。一方、左上流路（55）へ流入した第２空気は、第１左上開口（25）を通って室外側上部流路（41）へ流入する。その後、第１吸着素子（81）の冷却と第２吸着素子（82）の再生に利用された第２空気は、室外側吹出口（16）を通って室外へ排出される。
【０１３７】
除湿循環運転の第２動作について、図５，図１０を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【０１３８】
図１０に示すように、第１仕切板（20）では、第１左側開口（22）と第１右上開口（23）とが連通状態となり、残りの開口（21,24,25,26）が遮断状態となっている。この状態では、第１左側開口（22）によって室外側下部流路（42）と左側流路（52）とが連通され、第１右上開口（23）によって右上流路（53）と室外側上部流路（41）とが連通される。
【０１３９】
第２仕切板（30）では、第２左上開口（35）と第２左下開口（36）とが連通状態となり、残りの開口（31,32,33,34）が遮断状態となっている。この状態では、第２左上開口（35）によって左上流路（55）と室内側上部流路（46）とが連通され、第２左下開口（36）によって室内側下部流路（47）と左下流路（56）とが連通される。
【０１４０】
左側シャッタ（62）は閉鎖状態となり、右側シャッタ（61）は開口状態となっている。この状態では、中央流路（57）における再生熱交換器（92）の右側部分と右下流路（54）とが、右側シャッタ（61）を介して連通される。
【０１４１】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【０１４２】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【０１４３】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から右下流路（54）へ流入する。
【０１４４】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【０１４５】
図９に示すように、左上流路（55）へ流入した減湿後の第１空気は、第２左上開口（35）を通って室内側上部流路（46）へ送り込まれる。その後、減湿された第１空気は、室内側吹出口（14）を通って室内へ供給される。一方、右上流路（53）へ流入した第２空気は、第１右上開口（23）を通って室外側上部流路（41）へ流入する。その後、第２吸着素子（82）の冷却と第１吸着素子（81）の再生に利用された第２空気は、室外側吹出口（16）を通って室外へ排出される。
【０１４６】
《加湿循環運転》
図１１，図１２に示すように、加湿循環運転時において、給気ファン（95）を駆動すると、室内空気が室内側吸込口（15）を通じてケーシング（10）内に取り込まれる。この室内空気は、第２空気として室内側下部流路（47）へ流入する。一方、排気ファン（96）を駆動すると、室外空気が室外側吸込口（13）を通じてケーシング（10）内に取り込まれる。この室外空気は、第１空気として室外側下部流路（42）へ流入する。
【０１４７】
加湿循環運転の第１動作について、図５，図１１を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【０１４８】
図１１に示すように、第１仕切板（20）では、第１右上開口（23）と第１右下開口（24）とが連通状態となり、残りの開口（21,22,25,26）が遮断状態となっている。この状態では、第１右上開口（23）によって右上流路（53）と室外側上部流路（41）とが連通され、第１右下開口（24）によって室外側下部流路（42）と右下流路（54）とが連通される。
【０１４９】
第２仕切板（30）では、第２右側開口（31）と第２左上開口（35）とが連通状態となり、残りの開口（32,33,34,36）が遮断状態となっている。この状態では、第２右側開口（31）によって室内側下部流路（47）と右側流路（51）とが連通され、第２左上開口（35）によって左上流路（55）と室内側上部流路（46）とが連通される。
【０１５０】
右側シャッタ（61）は閉鎖状態となり、左側シャッタ（62）は開口状態となっている。この状態では、中央流路（57）における再生熱交換器（92）の左側部分と左下流路（56）とが、左側シャッタ（62）を介して連通される。
【０１５１】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【０１５２】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【０１５３】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から左下流路（56）へ流入する。
【０１５４】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【０１５５】
図１１に示すように、左上流路（55）へ流入した第２空気は、第２左上開口（35）を通って室内側上部流路（46）へ流入する。その後、加湿された第２空気は、室内側吹出口（14）を通って室内へ供給される。一方、右上流路（53）へ流入した第１空気は、第１右上開口（23）を通って室外側上部流路（41）へ送り込まれる。その後、水分を奪われた第１空気は、室外側吹出口（16）を通って室外へ排出される。
【０１５６】
加湿循環運転の第２動作について、図５，図１２を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０１５７】
図１２に示すように、第１仕切板（20）では、第１左上開口（25）と第１左下開口（26）とが連通状態となり、残りの開口（21,22,23,24）が遮断状態となっている。この状態では、第１左上開口（25）によって左上流路（55）と室外側上部流路（41）とが連通され、第１左下開口（26）によって室外側下部流路（42）と左下流路（56）とが連通される。
【０１５８】
第２仕切板（30）では、第２左側開口（32）と第２右上開口（33）とが連通状態となり、残りの開口（31,34,35,36）が遮断状態となっている。この状態では、第２左側開口（32）によって室内側下部流路（47）と左側流路（52）とが連通され、第２右上開口（33）によって右上流路（53）と室内側上部流路（46）とが連通される。
【０１５９】
左側シャッタ（62）は閉鎖状態となり、右側シャッタ（61）は開口状態となっている。この状態では、中央流路（57）における再生熱交換器（92）の右側部分と右下流路（54）とが、右側シャッタ（61）を介して連通される。
【０１６０】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【０１６１】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【０１６２】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（92）を通過する。その際、再生熱交換器（92）では、第２空気が温水との熱交換によって加熱される。その後、第２空気は、中央流路（57）から右下流路（54）へ流入する。
【０１６３】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【０１６４】
図１２に示すように、右上流路（53）へ流入した第２空気は、第２右上開口（33）を通って室内側上部流路（46）へ流入する。その後、加湿された第２空気は、室内側吹出口（14）を通って室内へ供給される。一方、左上流路（55）へ流入した第１空気は、第１左上開口（25）を通って室外側上部流路（41）へ送り込まれる。その後、水分を奪われた第１空気は、室外側吹出口（16）を通って室外へ排出される。
【０１６５】
【発明のその他の実施の形態】
本発明に係る調湿装置は、以下のような構成としてもよい。
【０１６６】
−第１変形例−
図１３，図１４に示すように、再生熱交換器（92）を、ほぼ水平に寝かせられた状態で設置してもよい。ここでは、本変形例に係る調湿装置について、上記実施形態と異なる点を説明する。
【０１６７】
この調湿装置において、中央流路（57）は、図１３，図１４に現れる流路断面の形状が四角形状となっている。そして、再生熱交換器（92）は、この中央流路（57）を上下に仕切るように設けられている。更に、再生熱交換器（92）は、その上面が第１及び第２吸着素子（81,82）の下面よりも僅かに下となるように配置されている。
【０１６８】
また、この調湿装置において、右側シャッタ（61）は、中央流路（57）における再生熱交換器（92）の下側部分と右下流路（54）との間を仕切っている。一方、左側シャッタ（62）は、中央流路（57）における再生熱交換器（92）の下側部分と左下流路（56）との間を仕切っている。
【０１６９】
本変形例の調湿装置は、除湿運転時や加湿運転時において、上記実施形態のものと同様の動作を行う。尚、図１３は、除湿運転の第１動作における状態を示している。また、図１４では、第１動作時の状態が同図(ａ)に示され、第２動作時の状態が同図(ｂ)に示されている。
【０１７０】
本変形例のように再生熱交換器（92）を配置すると、調湿装置を設置する際の制約が小さくなる。つまり、調湿装置の保守作業においては、第１及び第２吸着素子（81,82）をケーシング（10）から取り出す場合もある。一方、本変形例の調湿装置では、再生熱交換器（92）を吸着素子（81,82）よりも下方に配置している。このため、ケーシング（10）における左右の何れか一方の側面を開けば、吸着素子（81,82）を２つとも抜き取ることが可能となる。従って、この調湿装置については、例えばケーシング（10）の左側面が壁に密着するような状態でも据え付けることが可能である。
【０１７１】
−第２変形例−
図１５に示すように、右側シャッタ（61）を再生熱交換器（92）の上端側に設けてもよい。本変形例の調湿装置では、第１動作や第２動作における空気の流れが上記実施形態と異なっている。つまり、同図(ａ)に示すように、第１動作時には、第１空気が右上流路（53）から右下流路（54）へ向かって流れる。また、同図(ｂ)に示すように、第２動作時には、第２空気が右上流路（53）から右下流路（54）へ向かって流れる。
【０１７２】
−第３変形例−
図１６に示すように、再生熱交換器（92）を、斜めに傾斜した状態で設置してもよい。尚、同図には、再生熱交換器（92）を右下がりの状態で設置したものを示している。
【０１７３】
本変形例の調湿装置において、中央流路（57）は、第１吸着素子（81）と第２吸着素子（82）の間に、ケーシング（10）の全高に亘って形成されている。この中央流路（57）は、再生熱交換器（92）によって右上の部分と左下の部分とに区画されている。
【０１７４】
また、この調湿装置において、右側シャッタ（61）は、中央流路（57）における再生熱交換器（92）の右上部分と右上流路（53）との間を仕切っている。一方、左側シャッタ（62）は、中央流路（57）における再生熱交換器（92）の左下部分と左下流路（56）との間を仕切っている。
【０１７５】
本変形例の調湿装置では、第１動作や第２動作における空気の流れが上記実施形態と異なっている。つまり、同図(ａ)に示すように、第１動作時には、第１空気が右上流路（53）から右下流路（54）へ向かって流れる。また、同図(ｂ)に示すように、第２動作時には、第２空気が右上流路（53）から右下流路（54）へ向かって流れる。
【０１７６】
−第４変形例−
図１７に示すように、再生熱交換器（92）を、ほぼ水平に寝かせた状態で設置すると共に、第１吸着素子（81）と第２吸着素子（82）を、斜めに傾斜した状態で設置してもよい。尚、同図には、第１吸着素子（81）を右下がりの状態で設置し、第２吸着素子（82）を右上がりの状態で設置したものを示している。
【０１７７】
本変形例の調湿装置において、中央流路（57）は、第１吸着素子（81）と第２吸着素子（82）の間に、ケーシング（10）の全高に亘って形成されている。この中央流路（57）は、再生熱交換器（92）によって上下に区画されている。
【０１７８】
また、この調湿装置において、右側シャッタ（61）は、中央流路（57）における再生熱交換器（92）の下側部分と右下流路（54）との間を仕切っている。一方、左側シャッタ（62）は、中央流路（57）における再生熱交換器（92）の下側部分と左下流路（56）との間を仕切っている。
【０１７９】
更に、この調湿装置において、右側流路（51）は、ケーシング（10）内における右下隅角部に形成されている。一方、左側流路（52）は、ケーシング（10）内における左下隅角部に形成されている。
【０１８０】
−第５変形例−
上記の実施形態や各変形例に係る調湿装置では、第１，第２吸着素子（81,82）の調湿側通路（85）において、第１空気と第２空気を同じ方向へ流通させている。これに対し、図１８に示すように、第１，第２吸着素子（81,82）の調湿側通路（85）において、第１空気と第２空気を反対の方向へ流通させてもよい。尚、図１８は、上記実施形態の調湿装置に本変形例を適用したものを示している。
【０１８１】
本変形例の調湿装置では、第１動作や第２動作における空気の流れが次のようになる。つまり、同図(ａ)に示すように、第１動作時には、第１空気が右上流路（53）から右下流路（54）へ向かって流れる。また、同図(ｂ)に示すように、第２動作時には、第１空気が左上流路（55）から左下流路（56）へ向かって流れる。
【０１８２】
−第６変形例−
上記の実施形態や各変形例に係る調湿装置では、再生熱交換器（92）で温水と第２空気を熱交換させ、この温水によって第２空気を加熱するようにしている。これに対し、冷凍サイクルを行う冷凍機の凝縮器を再生熱交換器（92）として調湿装置に設け、冷媒の凝縮熱によって第２空気を加熱するようにしてもよい。
【図面の簡単な説明】
【図１】  実施形態に係る調湿装置の構成および除湿運転中の第１動作を示す分解斜視図である。
【図２】  実施形態に係る調湿装置での除湿運転中の第２動作を示す分解斜視図である。
【図３】  実施形態に係る調湿装置での加湿運転中の第１動作を示す分解斜視図である。
【図４】  実施形態に係る調湿装置での加湿運転中の第２動作を示す分解斜視図である。
【図５】  実施形態に係る調湿装置の要部を示す概略構成図である。
【図６】  実施形態に係る調湿装置の吸着素子を示す概略斜視図である。
【図７】  実施形態に係る調湿装置での除湿運転中のパージ動作を示す分解斜視図である。
【図８】  実施形態に係る調湿装置での除湿運転中のパージ動作を示す分解斜視図である。
【図９】  実施形態に係る調湿装置での除湿循環運転中の第１動作を示す分解斜視図である。
【図１０】  実施形態に係る調湿装置での除湿循環運転中の第２動作を示す分解斜視図である。
【図１１】  実施形態に係る調湿装置での加湿循環運転中の第１動作を示す分解斜視図である。
【図１２】  実施形態に係る調湿装置での加湿循環運転中の第２動作を示す分解斜視図である。
【図１３】  その他の実施形態の第１変形例に係る調湿装置の構成を示す分解斜視図である。
【図１４】  その他の実施形態の第１変形例に係る調湿装置の要部を示す概略構成図である。
【図１５】  その他の実施形態の第２変形例に係る調湿装置の要部を示す概略構成図である。
【図１６】  その他の実施形態の第３変形例に係る調湿装置の要部を示す概略構成図である。
【図１７】  その他の実施形態の第４変形例に係る調湿装置の要部を示す概略構成図である。
【図１８】  その他の実施形態の第５変形例に係る調湿装置の要部を示す概略構成図である。
【符号の説明】
（10）  ケーシング
（11）  室外側パネル（対向面）
（12）  室内側パネル（対向面）
（13）  室外側吸込口
（14）  室内側吹出口
（15）  室内側吸込口
（16）  室外側吹出口
（81）  第１吸着素子
（82）  第２吸着素子
（83）  平板部材（仕切部材）
（85）  調湿側通路
（86）  冷却側通路
（92）  再生熱交換器（加熱器）
【図１】
0003800092.tif 000002
【図２】
0003800092.tif 000003
【図３】
0003800092.tif 000004
【図４】
0003800092.tif 000005
【図５】
0003800092.tif 000006
【図６】
0003800092.tif 000007
【図７】
0003800092.tif 000008
【図８】
0003800092.tif 000009
【図９】
0003800092.tif 000010
【図１０】
0003800092.tif 000011
【図１１】
0003800092.tif 000012
【図１２】
0003800092.tif 000013
【図１３】
0003800092.tif 000014
【図１４】
0003800092.tif 000015
【図１５】
0003800092.tif 000016
【図１６】
0003800092.tif 000017
【図１７】
0003800092.tif 000018
【図１８】
0003800092.tif 000019